【事件の表示】
　特願２０１３−１４０９２４号「遊技機」拒絶査定不服審判事件〔平成２７年　１月２２日出願公開、特開２０１５−　１２９７１号〕について、次のとおり審決する。
【結　論】
　本件審判の請求は、成り立たない。
【理　由】
第１　手続の経緯
　本願は、平成２５年７月４日の出願であって、平成２７年４月２８日付けで拒絶の理由が通知され、同年７月３日に意見書及び手続補正書が提出され、平成２８年１月２１日付けで最後の拒絶の理由が通知され、同年３月２８日に意見書及び手続補正書が提出され、同年８月２６日付け（発送日：９月６日）で補正却下の決定とともに拒絶査定がなされ、これに対して、平成２８年１２月６日付けで拒絶査定不服審判の請求がなされるとともに手続補正がなされたものである。
　一方、当審において、平成２９年５月２９日付けで拒絶理由を通知し、同年７月２８日に意見書及び手続補正書が提出されたが、同年８月２４日付けで最後の拒絶理由を通知し、同年１０月３０日に意見書および手続補正書が提出されたところである。
第２　平成２９年１０月３０日にされた手続補正についての補正却下の決定
［補正却下の決定の結論］
　平成２９年１０月３０日にされた手続補正（以下、「本件補正」という。）を却下する。
［理由］
１．本件補正の概要
　本件補正は特許請求の範囲の請求項１を補正する内容を含んでおり、平成２９年７月２８日付けの手続補正と本件補正の特許請求の範囲の請求項１の記載はそれぞれ、以下のとおりである（下線部は、補正箇所を示す。）。
（補正前：平成２９年７月２８日付け手続補正）
「【請求項１】
　所定の遊技が可能な遊技機であって、
　前記所定の遊技に関する画像が表示される複数の表示装置と、
　共通の画像データを用いて、前記複数の表示装置の表示制御を行う表示制御手段と、を備え、
　前記複数の表示装置は、第１表示装置と、該第１表示装置より小さい表示面積を有する第２表示装置と、を含み、
　前記表示制御手段は、前記第１表示装置の色調に合わせて、前記第２表示装置の色調を補正し、
　前記第２表示装置は、第１位置と、該第１位置よりも前記第１表示装置に重畳する面積が広い第２位置との間を移動可能であり、
　重畳した前記第２表示装置によって被覆されている前記第１表示装置の表示領域に、前記第２表示装置と同じ画像を表示可能である、
　ことを特徴とする遊技機。」
（補正後：本件補正である平成２９年１０月３０日付け手続補正）
「【請求項１】
　所定の遊技が可能な遊技機であって、
　前記所定の遊技に関する画像が表示される複数の表示装置と、
　共通の画像データを用いて、前記複数の表示装置の表示制御を行う表示制御手段と、を備え、
　前記複数の表示装置は、第１表示装置と、該第１表示装置より小さい表示面積を有する第２表示装置と、を含み、
　前記表示制御手段は、前記第１表示装置の色調に合わせて、前記第２表示装置の色調を補正し、
　前記第２表示装置は、第１位置と、該第１位置よりも前記第１表示装置に重畳する面積が広い第２位置との間を移動可能であり、
　重畳した前記第２表示装置によって被覆されている前記第１表示装置の表示領域に、前記第２表示装置と同じ画像を表示可能であ
り、
　
前記第２表示装置は、前記第１表示装置に重畳しない表示領域を含めて、前記第１表示装置の画像に対応した画像を表示可能である、
　ことを特徴とする遊技機。」
２．補正の適否
　本件補正により請求項１の記載は、第２表示装置について、「前記第１表示装置に重畳しない表示領域を含めて、前記第１表示装置の画像に対応した画像を表示可能である」点が限定された。
　そして、補正後の請求項１に記載された発明は、補正前の特許請求の範囲に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、図７（ａ）、（ｂ）等の記載に基づいており、新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。
（１）本件補正後の請求項１に係る発明
　本件補正後の請求項１に係る発明（以下、「本願補正発明」という。）は、上記１．の本件補正の概要において示した次に特定されるとおりのものである（Ａ〜Ｈについては、発明特定事項を分説するため当審で付した。）。
「Ａ　所定の遊技が可能な遊技機であって、
Ｂ　前記所定の遊技に関する画像が表示される複数の表示装置と、
Ｃ　共通の画像データを用いて、前記複数の表示装置の表示制御を行う表示制御手段と、を備え、
Ｄ　前記複数の表示装置は、第１表示装置と、該第１表示装置より小さい表示面積を有する第２表示装置と、を含み、
Ｅ　前記表示制御手段は、前記第１表示装置の色調に合わせて、前記第２表示装置の色調を補正し、
Ｆ　前記第２表示装置は、第１位置と、該第１位置よりも前記第１表示装置に重畳する面積が広い第２位置との間を移動可能であり、
Ｇ　重畳した前記第２表示装置によって被覆されている前記第１表示装置の表示領域に、前記第２表示装置と同じ画像を表示可能であり、
Ｈ　前記第２表示装置は、前記第１表示装置に重畳しない表示領域を含めて、前記第１表示装置の画像に対応した画像を表示可能である、
　ことを特徴とする遊技機。」
（２−１）刊行物１に記載された事項
　当審において最後に通知した拒絶の理由に引用された本願の出願前に頒布された刊行物である特開２００９−２６１８１３号公報（以下、「刊行物１」という。）には、図面と共に次の事項が記載されている（下線は当審で付した。）。
（ア）「【請求項１】
　
大型電子ディスプレイに図柄が変動表示された後、変動停止して大当たり図柄が表示されると遊技者に特典がもたらされる遊技機において、
前記大型電子ディスプレイの前面に出没可能なる
小型電子ディスプレイを設けることで該小型電子ディスプレイが前記大型電子ディスプレイの前面に進出し得るようにするとともに、前記大当たり図柄の一部が該小型電子ディスプレイに表示されるようにした
（イ）「【０００１】
　本発明は、液晶表示装置等の
電子ディスプレイを具備し、該電子ディスプレイに大当たり図柄が表示されると遊技者に特典がもたらされる遊技機
【背景技術】」
（ウ）「【０００９】
　
１０は前記大型電子ディスプレイ３の上部に位置し、キャラクタの腕に見立てたアーム状に形成されている
該装飾可動体１０の先端部に
小型電子ディスプレイ１１が設けられ、
該装飾可動体１０がその旋回によって降下することで、該小型電子ディスプレイ１１が該大型電子ディスプレイ３の前面に進出し得る
（エ）「【００１３】
　なお、
遊技球が始動入賞口４に入賞しスイッチ２５により検出されると、主制御回路２０は乱数を取得し、該乱数値により大当たりであるかハズレであるかを判定すると共に、該乱数値により種々の演出が選択され、主制御回路２０から演出制御回路２２にその演出を実行するべく指令が出され、指令を受けた演出制御回路２２はその指令に基いて画像制御回路２３を作動させ大型電子ディスプレイ３および小型電子ディスプレイ１１に所定の動画像を表示する
（オ）「【００１６】
　
また、図５に示した演出は、（イ）に示したように、大型電子ディスプレイ３の図柄変動表示が停止し、間隔を離して「７  ７」と表示されたとき、（ロ）に示したように小型電子ディスプレイ１１がその間隔部分の上部に進出してきて、該小型電子ディスプレイ１１に「７」が表示され、該小型電子ディスプレイ１１を駆動モータ３３の作動により上下に揺らすと同時にその表示「７」が該小型電子ディスプレイ１１上から大型電子ディスプレイ３上に滑り落ちるように見えるように、該小型電子ディスプレイ１１の表示と大型電子ディスプレイ３の表示とを連動させ、（ニ）に示したように大型電子ディスプレイ３に「７７７」の大当たり表示がなされるようにしたものである
（カ）上記（ウ）【０００９】の「１０は前記大型電子ディスプレイ３の上部に位置し、キャラクタの腕に見立てたアーム状に形成されている・・装飾可動体１０の先端部に・・・小型電子ディスプレイ１１が設けられ、・・・該装飾可動体１０がその旋回によって降下することで、該小型電子ディスプレイ１１が該大型電子ディスプレイ３の前面に進出し得る」の記載、および、上記（オ）【００１６】の「また、図５に示した演出は、（イ）に示したように、大型電子ディスプレイ３の図柄変動表示が停止し、間隔を離して「７  ７」と表示されたとき、（ロ）に示したように小型電子ディスプレイ１１がその間隔部分の上部に進出してきて、該小型電子ディスプレイ１１に「７」が表示され、該小型電子ディスプレイ１１を駆動モータ３３の作動により上下に揺らすと同時にその表示「７」が該小型電子ディスプレイ１１上から大型電子ディスプレイ３上に滑り落ちるように見えるように、該小型電子ディスプレイ１１の表示と大型電子ディスプレイ３の表示とを連動させ、（ニ）に示したように大型電子ディスプレイ３に「７７７」の大当たり表示がなされるようにしたものである」の記載を参酌して図５をみると、図５（イ）には、小型電子ディスプレイ１１が大型電子ディスプレイ３の上方の重ならない位置に位置すること、図５（ロ）には、小型電子ディスプレイ１１の一部が大型電子ディスプレイ３の前面に重なること、および、小型電子ディスプレイ１１には「７」が表示され、「７」の表示は、小型電子ディスプレイ１１の大型電子ディスプレイ３に重なっていない部分にも表示されていること、図５（ハ）には、小型電子ディスプレイ１１と大型電子ディスプレイ３とに跨がるように「７」が表示されること、が示されているといえる。
　上記（ア）〜（オ）の記載事項、（カ）の認定事項から、以下の事項が導かれる。
（ａ）上記（イ）【０００１】には、「電子ディスプレイを具備し、該電子ディスプレイに大当たり図柄が表示されると遊技者に特典がもたらされる遊技機」と記載されている。
（ｂ）上記（ア）【請求項１】には、「大型電子ディスプレイに図柄が変動表示された後、変動停止して大当たり図柄が表示されると遊技者に特典がもたらされる遊技機において、・・・前記大型電子ディスプレイの前面に出没可能なる・・・小型電子ディスプレイを設けることで該小型電子ディスプレイが前記大型電子ディスプレイの前面に進出し得るようにするとともに、前記大当たり図柄の一部が該小型電子ディスプレイに表示されるようにした」ことが記載されている。
　よって、刊行物１には、「表示されると遊技者に特典がもたらされる大当たり図柄を表示する大型電子ディスプレイと、大当たり図柄の一部が表示される小型電子ディスプレイ」が記載されているといえる。
（ｃ）上記（エ）【００１３】には、「遊技球が始動入賞口４に入賞しスイッチ２５により検出されると、主制御回路２０は乱数を取得し、該乱数値により大当たりであるかハズレであるかを判定すると共に、該乱数値により種々の演出が選択され、主制御回路２０から演出制御回路２２にその演出を実行するべく指令が出され、指令を受けた演出制御回路２２はその指令に基いて画像制御回路２３を作動させ大型電子ディスプレイ３および小型電子ディスプレイ１１に所定の動画像を表示する」と記載されている。
　また、上記（オ）【００１６】には、「該小型電子ディスプレイ１１に「７」が表示され、該小型電子ディスプレイ１１を駆動モータ３３の作動により上下に揺らすと同時にその表示「７」が該小型電子ディスプレイ１１上から大型電子ディスプレイ３上に滑り落ちるように見えるように、該小型電子ディスプレイ１１の表示と大型電子ディスプレイ３の表示とを連動させ」ることが記載されている。
　上記（カ）より、図５（ハ）には、小型電子ディスプレイ１１と大型電子ディスプレイ３とに跨がるように「７」が表示されることが示されている。
　よって、刊行物１には、小型電子ディスプレイ１１と大型電子ディスプレイ３とに跨がるように「７」を表示させるように作動する画像制御回路２３が記載されているといえる。
（ｄ）上記（ｂ）より、刊行物１には、「大型電子ディスプレイと小型電子ディスプレイ」が記載されている。
（ｆ）上記（ウ）【０００９】には、「１０は前記大型電子ディスプレイ３の上部に位置し、キャラクタの腕に見立てたアーム状に形成されている・・装飾可動体１０の先端部に・・・小型電子ディスプレイ１１が設けられ、・・・該装飾可動体１０がその旋回によって降下することで、該小型電子ディスプレイ１１が該大型電子ディスプレイ３の前面に進出し得る」ことが記載されている。
　そして、上記（オ）【００１６】には、「図５に示した演出は、（イ）に示したように、大型電子ディスプレイ３の図柄変動表示が停止し、間隔を離して「７  ７」と表示されたとき、（ロ）に示したように小型電子ディスプレイ１１がその間隔部分の上部に進出して」くることが記載されている。
　また、上記（カ）より、図５（イ）には、小型電子ディスプレイ１１が大型電子ディスプレイ３の上方の重ならない位置に位置すること、図５（ロ）には、小型電子ディスプレイ１１の一部が大型電子ディスプレイ３の前面に重なることが示されている。
　よって、刊行物１には、小型電子ディスプレイ１１は、大型電子ディスプレイ３の上方の重ならない位置から、一部が大型電子ディスプレイ３の前面に重なる位置に進出し得ることが記載されているといえる。
（ｈ）上記（カ）より、図５（ロ）には、小型電子ディスプレイ１１の一部が大型電子ディスプレイ３の前面に重なること、および、小型電子ディスプレイ１１には「７」が表示され、「７」の表示は、小型電子ディスプレイ１１の大型電子ディスプレイ３に重なっていない部分にも表示されていることが示されている。
　また、上記（イ）【０００１】には、「遊技機」と記載されている。
　よって、刊行物１には、小型電子ディスプレイ１１の一部が大型電子ディスプレイ３の前面に重なったとき、小型電子ディスプレイ１１に表示された「７」は、小型電子ディスプレイ１１の大型電子ディスプレイ３の前面に重なっていない部分にも表示されている、遊技機が記載されているといえる。
　以上（ア）〜（オ）の記載事項、（カ）の認定事項及び上記（ａ）〜（ｈ）の認定事項を総合すれば、刊行物１には、以下の発明（以下、「引用発明」という。）が記載されている（ａ〜ｈは発明の構成を分説するため当審で付した。）。
「ａ　電子ディスプレイを具備し、該電子ディスプレイに大当たり図柄が表示されると遊技者に特典がもたらされる遊技機であって、
ｂ　表示されると遊技者に特典がもたらされる大当たり図柄を表示する大型電子ディスプレイと、大当たり図柄の一部が表示される小型電子ディスプレイと、
ｃ　小型電子ディスプレイ１１と大型電子ディスプレイ３とに跨がるように「７」を表示させるように作動する画像制御回路２３と、を備え、
ｄ　大型電子ディスプレイと小型電子ディスプレイと、を含み、
ｆ　小型電子ディスプレイ１１は、大型電子ディスプレイ３の上方の重ならない位置から、一部が大型電子ディスプレイ３の前面に重なる位置に進出し得、
ｈ　小型電子ディスプレイ１１の一部が大型電子ディスプレイ３の前面に重なったとき、小型電子ディスプレイ１１に表示された「７」は、小型電子ディスプレイ１１の大型電子ディスプレイ３の前面に重なっていない部分にも表示されている、遊技機。」　
（２−２）刊行物２に記載された事項
　当審において最後に通知した拒絶の理由に引用された本願の出願前に頒布された刊行物である特開２０１２−１０５７６９号公報（以下、「刊行物２」という。）には、図面と共に次の事項が記載されている（下線は当審で付した。）。
（キ）「【０１６２】
　次に、演出制御部１３０は、
サブ表示器６（サブ画面６０）
（ク）「【０１６９】
［描画処理］
　以下、図２５〜図２８を参照しつつ、
画像音響制御部１４０（ＶＤＰ１４２）によって行われる描画処理
【０１７０】
　図２５において、
ＣＰＵ１４１からの制御信号がＶＤＰ１４２に入力されると、描画エンジン１４２４は、メイン画像および／またはサブ画像の描画処理に使用するフレームバッファを選択
【０１７１】
　上記ステップ２９０で
第１フレームバッファ１４２６Ａが選択された場合、描画エンジン１４２４は、ＣＰＵ１４１からの指示に応じたメイン表示器５に表示されるメイン画像を、第１フレームバッファ１４２６Ａに描画し
【０１７２】
　
次に、
【０１７３】
　ステップ２９３において、描画エンジン１４２４は、第１フレームバッファ１４２６Ａに描画されたメイン画像のうち、サブ画面６０の位置に対応する領域をコピーしてコピー画像を生成し、次のステップに処理を進める。例えば、演出制御部１３０によってサブ画面６０の位置が検出されると、サブ画面６０の現時点の位置情報が画像音響制御部１４０へ送信され、ＣＰＵ１４１がサブ画面６０の位置情報を含む制御信号をＶＤＰ１４２へ出力する。そして、
描画エンジン１４２４は、第１フレームバッファ１４２６Ａに描画されたメイン画像のうち、
サブ画面６０が重なる領域
をコピーしてコピー画像を生成
【０１７４】
　次に、描画エンジン１４２４は、図２６に示されるように、メイン画面５０には表示されず、サブ画面６０にのみ表示される表示内容を示す差分画像（すなわち、輪郭画像ＥＩや表示情報ＩＦを示す画像）をコピー画像に合成してサブ画像を生成し（ステップ２９４）、次のステップに処理を進める。例えば、制御用ＲＯＭ１４４には、輪郭画像ＥＩや表示情報ＩＦを示すサブ画像情報が記憶されており、ＣＰＵ１４１は、演出制御部１３０から取得した輪郭画像ＥＩや表示情報ＩＦに対応するサブ画像情報を制御用ＲＯＭ１４４から読み出してＲＡＭ１４５に格納する。そして、上記サブ画像情報を含む制御信号がＶＤＰ１４２へ出力される。描画エンジン１４２４は、ＣＰＵ１４１からの制御信号に含まれているサブ画像情報が示す差分画像を生成するために必要な素材データを画像用ＲＯＭ１４８から読み出してＶＲＡＭ＿ＲＳ１４２５に格納して、その素材データを用いて差分画像（すなわち、輪郭画像ＥＩや表示情報ＩＦを示す画像）を生成する。そして、描画エンジン１４２４は、生成された差分画像をＶＲＡＭ＿ＲＳ１４２５上で例えばＺバッファ法等を用いてコピー画像に合成することによって、サブ画像を生成する。図２６には、メイン画像に対するサブ画像の位置が、破線１８で示されている。本実施形態では、上述したように、垂直画素数Ｌ３が「２４０」で水平画素数Ｃ３が「３２０」のサブ画像が生成される。このように、描画エンジン１４２４は、メイン画像からサブ画面６０の位置に対応する領域をコピーして得られるコピー画像に、遊技者へ報知する情報（輪郭画像ＥＩや表示情報ＩＦ）を示す差分画像を合成して、サブ画面６０に表示するためのサブ画像を生成する。なお、上記ステップ９１２で設定された輪郭画像ＥＩのみをサブ画面６０に表示する場合、コピー画像が生成されないため、上記差分画像をそのままサブ画像としてＶＲＡＭ＿ＲＳ１４２５に格納する。また、コピー画像のみをサブ画面６０に表示する場合、上記差分画像が存在しないため上記ステップ２９４の処理を省略してコピー画像をそのまま
サブ画像として取り扱う
（ケ）「【０１７８】
　上記ステップ２９８の処理の後、描画エンジン１４２４は、第２フレームバッファ１４２６Ｂに格納されている前のフレームの画像を表示する処理が完了し、上記ステップ２９１およびステップ２９８の処理によって第１フレームバッファ１４２６Ａに描画された次のフレームの画像を表示するタイミングになるのを待つ（ステップ２９９）。そして、上記
表示タイミングになった場合
、出力回路１４２７は、メイン画像を第１フレームバッファ１４２６Ａから読み出してメイン表示器５へ出力すると共に
、サブ画像を同じく第１フレームバッファ１４２６Ａから読み出してサブ表示器６へ出力する
（コ）図１４には「画像音響制御部１４０」の構成として、「ＣＰＵ１４１」、「ＶＤＰ１４２」を備えること、「ＶＤＰ１４２」は、「描画エンジン１４２４」、「ＶＲＡＭ
　
（サ）図１５には、「ＶＲＡＭ
　
　以上（キ）〜（ケ）の記載事項、（コ）、（サ）の認定事項から、刊行物２には、以下の事項（以下、「刊行物２に記載の事項」という。）が記載されているといえる。
「画像音響制御部１４０（ＶＤＰ１４２）によって行われる描画処理において、ＣＰＵ１４１からの制御信号がＶＤＰ１４２に入力されると、描画エンジン１４２４は、メイン画像および／またはサブ画像の描画処理に使用するフレームバッファを選択し、第１フレームバッファ１４２６Ａが選択された場合、描画エンジン１４２４は、ＣＰＵ１４１からの指示に応じたメイン表示器５に表示されるメイン画像を、第１フレームバッファ１４２６Ａに描画し、次に、描画エンジン１４２４は、第１フレームバッファ１４２６Ａに描画されたメイン画像のうち、サブ画面６０（サブ表示器６）が重なる領域をコピーしてコピー画像を生成し、サブ画像として取り扱い、表示タイミングになった場合、出力回路１４２７は、メイン画像を第１フレームバッファ１４２６Ａから読み出してメイン表示器５へ出力すると共に、サブ画像を同じく第１フレームバッファ１４２６Ａから読み出してサブ表示器６へ出力する」こと。
（３）対比
　本願補正発明と引用発明とを対比する。なお、見出しは（ａ）〜（ｈ）とし、本願補正発明、引用発明の分説に対応させている。
（ａ）引用発明の「電子ディスプレイを具備し、該電子ディスプレイに大当たり図柄が表示されると遊技者に特典がもたらされる遊技機」は、本願補正発明の「所定の遊技が可能な遊技機」に相当する。
（ｂ）引用発明の「表示されると遊技者に特典がもたらされる大当たり図柄を表示する」こと、および、「大当たり図柄の一部が表示される」ことは、いずれも、本願補正発明の「前記所定の遊技に関する画像が表示される」ことに相当する。
　そして、引用発明の「大型電子ディスプレイ」と「小型電子ディスプレイ」は、本願補正発明の「複数の表示装置」に相当する。
　よって、引用発明の「表示されると遊技者に特典がもたらされる大当たり図柄を表示する大型電子ディスプレイと、大当たり図柄の一部が表示される小型電子ディスプレイ」は、本願補正発明の「前記所定の遊技に関する画像が表示される複数の表示装置」に相当する。
（ｃ）引用発明の「画像制御回路２３」は、「小型電子ディスプレイ１１と大型電子ディスプレイ３とに跨がるように「７」を表示させるように作動する」ものであるから、本願補正発明の「前記複数の表示装置の表示制御を行う表示制御手段」に相当する。
　よって、引用発明の「小型電子ディスプレイ１１と大型電子ディスプレイ３とに跨がるように「７」を表示させるように作動する画像制御回路２３」は、本願補正発明と「前記複数の表示装置の表示制御を行う表示制御手段」の点で共通する。
（ｄ、ｆ、ｈ）引用発明の「大型電子ディスプレイ」、「小型電子ディスプレイ」は、それぞれ、本願補正発明の「第１表示装置」、「第２表示装置」に相当する。
（ｄ）引用発明の「大型電子ディスプレイと小型電子ディスプレイと、を含」むことは、本願補正発明の「前記複数の表示装置は、第１表示装置と、該第１表示装置より小さい表示面積を有する第２表示装置と、を含」むことに相当する。
（ｆ）引用発明の「大型電子ディスプレイ３の上方の重ならない位置」、「一部が大型電子ディスプレイ３の前面に重なる位置」は、それぞれ、本願補正発明の「第１位置」、「該第１位置よりも前記第１表示装置に重畳する面積が広い第２位置」に相当する。
　よって、引用発明の「小型電子ディスプレイ１１は、大型電子ディスプレイ３の上方の重ならない位置から、一部が大型電子ディスプレイ３の前面に重なる位置に進出し得」ることは、本願補正発明の「前記第２表示装置は、第１位置と、該第１位置よりも前記第１表示装置に重畳する面積が広い第２位置との間を移動可能であ」ることに相当する。
（ｈ）引用発明の「小型電子ディスプレイ１１の一部が大型電子ディスプレイ３の前面に重なったとき、小型電子ディスプレイ１１に表示された「７」は、小型電子ディスプレイ１１の大型電子ディスプレイ３の前面に重なっていない部分にも表示されている」ことは、本願補正発明の「前記第２表示装置は、前記第１表示装置に重畳しない表示領域を含めて、」「画像を表示可能である」ことを含むものである。
　よって、引用発明の「小型電子ディスプレイ１１の一部が大型電子ディスプレイ３の前面に重なったとき、小型電子ディスプレイ１１に表示された「７」は、小型電子ディスプレイ１１の大型電子ディスプレイ３の前面に重なっていない部分にも表示されている、遊技機」は、本願補正発明の「前記第２表示装置は、前記第１表示装置に重畳しない表示領域を含めて、画像を表示可能である、」「遊技機」の点で共通する。
　上記（ａ）〜（ｈ）の対比により、本願補正発明と引用発明とは、
「Ａ　所定の遊技が可能な遊技機であって、
Ｂ　前記所定の遊技に関する画像が表示される複数の表示装置と、
Ｃ’　前記複数の表示装置の表示制御を行う表示制御手段と、を備え、
Ｄ　前記複数の表示装置は、第１表示装置と、該第１表示装置より小さい表示面積を有する第２表示装置と、を含み、
Ｆ　前記第２表示装置は、第１位置と、該第１位置よりも前記第１表示装置に重畳する面積が広い第２位置との間を移動可能であり、
Ｈ’　前記第２表示装置は、前記第１表示装置に重畳しない表示領域を含めて、画像を表示可能である、
　遊技機。」
である点で一致し、構成Ｃ、Ｅ、Ｇ、Ｈに関し、以下の点で相違する。
［相違点１］（構成Ｃ）
　本願補正発明の表示制御手段は、共通の画像データを用いているのに対し、引用発明では、このような構成は特定されていない点。
［相違点２］（構成Ｅ）
　本願補正発明の表示制御手段は、第１表示装置の色調に合わせて、第２表示装置の色調を補正するのに対し、引用発明では、このような構成は特定されていない点。
［相違点３］（構成Ｇ）
　本願補正発明の表示制御手段は、重畳した第２表示装置によって被覆されている第１表示装置の表示領域に、第２表示装置と同じ画像を表示可能であるのに対し、引用発明では、このような構成は特定されていない点。
［相違点４］（構成Ｈ）
　本願補正発明の、第２表示装置は、第１表示装置に重畳しない表示領域を含めて、第１表示装置の画像に対応した画像を表示可能であるのに対し、引用発明では、このような構成は特定されていない点。
（４）判断
　上記相違点について検討する。
ア　相違点２について
　表示制御の技術分野において、複数の表示装置を用いて画像等を表示する際に、全体として違和感のない表示とするために各表示装置の色調を一致させるように補正することは、当業者であれば、当然考慮すべき事項である（必要があれば、特開２００４−２１２６０５号公報、特開平７−３２２１８１号公報、特開２０１２−１７３６６９号公報等参照されたい。）。
　その際、一方の表示領域の色調に合わせて他方の表示領域の色調を補正することは、本願出願前周知技術である（必要があれば、特開２００４−３５７７３０号公報等参照されたい。）。
　そして、遊技機の技術分野においても、複数の表示装置を用いての演出等に際して、遊技者から見て違和感のない表示とすることは、常に内在する自明の課題であるから、引用発明の大型電子ディスプレイと小型電子ディスプレイにおいて、周知技術を適用して、色調を一致させるようにすることは、当業者が容易に想到し得るものであり、その際、表示面積の大きい方である大型電子ディスプレイを基準とすることに格別の困難性は認められない。
　したがって、引用発明に周知技術を適用することで、上記相違点２に係る本願補正発明の構成とすることは、当業者が容易になし得たことである。
イ　相違点１、３について
　相違点１、３は、表示制御手段による画像に関する点で共通しているのでまとめて検討する。
　刊行物２に記載の事項の「ＣＰＵ１４１」、「ＶＤＰ４２」、「描画エンジン１４２４」、「第１フレームバッファ１４２６Ａ」、「出力回路１４２７」を備える「画像音響制御部１４０」は、「描画処理」を行うことから、「表示制御手段」ということができる。
　また、刊行物２に記載の事項の「メイン表示器５」は、本願補正発明の「第１表示装置」に、刊行物２に記載の事項の「サブ表示器６」および「サブ画面６０」は、本願補正発明の「第２表示装置」に相当する。
　よって、刊行物２に記載の事項における表示制御手段は、第１表示装置のメイン画像のうち、第２表示装置が重なる領域をコピーしてサブ画像を生成し、第１表示装置にメイン画像を出力し、第２表示装置にサブ画像を出力するものといえる。
　ここで、サブ画像はメイン画像をコピーして生成していることから、共通の画像データを用いていること、および、メイン画像とサブ画像が重なる領域においては同じ画像であることは明らかである。
　そうすると、刊行物２には、表示制御手段は、共通の画像データを用いて、複数の表示制御を行うという、本願補正発明の相違点１に係る構成、および、重畳した第２表示装置によって被覆されている第１表示装置の表示領域に、第２表示装置と同じ画像を表示可能であるという、本願補正発明の相違点３に係る構成が記載されているといえる。
　そして、引用発明も、第１表示装置と、第１表示装置に重畳する第２表示装置を有するから、引用発明の大型電子ディスプレイと小型電子ディスプレイの表示制御において、刊行物２に記載のように、共通の画像データを用いること、および、重畳した第２表示装置によって被覆されている第１表示装置の表示領域に、第２表示装置と同じ画像を表示可能であることを適用し、上記相違点１、３に係る本願補正発明の構成とすることは、当業者が容易になし得たことである。
ウ　相違点４について
　上記イでの検討を踏まえ、引用発明に刊行物２に記載の事項を適用すると、引用発明の構成ｈにおいて、小型電子ディスプレイ１１の一部が大型電子ディスプレイ３の前面に重なったとき、小型電子ディスプレイ１１に表示された「７」は、小型電子ディスプレイ１１が重畳した大型電子ディスプレイ１１にも表示されることは明らかである。
　ここで、小型電子ディスプレイ１１に表示された「７」と、小型電子ディスプレイ１１に重畳された大型電子ディスプレイ１１に表示された「７」は、共通の画像データを用いて表示制御されるものであるから、両者は「対応した画像」ということができる。
　そして、引用発明の構成ｈによれば、小型電子ディスプレイ１１に表示された「７」は、小型電子ディスプレイ１１の大型電子ディスプレイ３の前面に重なっていない部分にも表示されているから、小型電子ディスプレイは、大型電子ディスプレイに重畳しない表示領域を含めて、大型ディスプレイ３の画像に対応した画像を表示しているといえる。
　上記（３）より、引用発明の「大型電子ディスプレイ３」および「小型電子ディスプレイ１１」は、それぞれ、本願補正発明の「第１表示装置」および「第２表示装置」に対応する。
　そうすると、引用発明に刊行物２に記載の事項を適用することにより、第２表示装置は、前記第１表示装置に重畳しない表示領域を含めて、前記第１表示装置の画像に対応した画像を表示可能とする、本願補正発明の相違点４に係る構成とすることは、当業者が容易になし得たことである。
（５）審判請求人の主張について
　平成２９年１０月３０日付け意見書において、請求人は、本願補正発明の構成Ｅについて、「刊行物１、２には、上記（ｄ）の構成について、何ら開示も示唆もされておりません。刊行物１には、色調の補正についての記載が全くありません。また、刊行物２では、方式の異なる表示装置（液晶パネルとドットマトリックス）を敢えて用いており、複数の表示装置間で違和感のない表示をするという発想がそもそもありません。」と主張している（２頁３５〜３８行）。
　この主張について検討すると、上記（４）アで検討したとおり、複数の表示装置を用いる場合に、違和感のない表示をするというのは自明の課題であるし、引用発明は、「小型電子ディスプレイ１１と大型電子ディスプレイ３とに跨がるように「７」を表示させる」（構成ｃ）ものであるから、両表示装置間で該「７」の表示が共通のものであることを遊技者が認識し得る程度に両表示装置間の表示の違和感をなくす動機付けは充分にあるといえる。また、本願補正発明において、複数の表示装置の方式が同じか否かについては言及されていない。
　よって、請求人の主張は採用できない。
（６）小括
　よって、本願補正発明は引用発明、刊行物２に記載の事項、および、周知技術に基づいて当業者が容易に発明できたものであり、特許法第２９条第２項の規定に基づいて特許出願の際独立して特許を受けることができない。
４．むすび
　以上より、本件補正は、特許法第１７条の２第５項の規定に違反し、又は、特許法第１７条の２第６項において準用する同法第１２６条第７項の規定に違反するので、同法第１５９条第１項において読み替えて準用する同法第５３条第１項の規定により却下すべきものである。
第３　本願発明
　本願補正発明は、上記第２のとおり却下されたので、本願の請求項１に係る発明（以下、「本願発明」という。）は、平成２９年７月２８日付けの手続補正書により補正された、上記第２の１．で補正前として記載されたとおりのものである。
１．刊行物に記載された事項
　当審において最後に通知した拒絶の理由に引用された刊行物１、２の記載事項、引用発明、刊行物２に記載の事項は、上記第２の３．（２）（２−１）、（２−２）に記載したとおりである。
２．対比・判断
　本願発明は、本願補正発明の発明特定事項から、上記第２の１．で示した下線部に係る事項であるところの上記第３．（１）で示した構成Ｈを省いたものである。
　そうすると、本願発明と引用発明とは、上記第２の３．（３）で示した［相違点１］〜［相違点３］と同様の相違点のみで相違し、当該相違点に係る本願発明の構成については、上記第２の３．（４）ア、イと同様の理由により、引用発明、刊行物２に記載の事項、周知技術に基づいて当業者が容易になし得たものである。
３．むすび
　以上のとおりであるから、本願発明は、引用発明、刊行物２に記載の事項、周知技術に基づいて当業者が容易に発明できたものであり、特許法第２９条第２項の規定により特許を受けることができないものである。
　したがって、本願は拒絶すべきものである。
　よって、結論のとおり審決する。